(57)【特許請求の範囲】
【請求項１】
一平面に画像を表示させる表示領域を有するパネル状の表示装置本体と、この表示装置本体に光を照射する光源を支持可能な光源支持具と、が取り付けられ、前記表示装置本体の前記表示領域を外面に臨ませて前記表示装置本体を収納する表示装置用の筐体であって、
前記表示装置本体の表示領域と反対側の平面に略対向する対向面を有し樹脂材料の異型押出にて押出方向に沿って一連である複数の中空リブを有する略平板状に形成されたシャーシを備え、
前記シャーシの対向面には、前記光源支持具を固定可能な支持具固定部が押出方向に長尺状で一体に設けられた
ことを特徴とした表示装置用の筐体。
【請求項２】
請求項１に記載の表示装置用の筐体であって、
前記支持具固定部は、前記シャーシの押出方向と略直交する方向に所定の間隙を有して複数並設された
ことを特徴とした表示装置用の筐体。
【請求項３】
請求項１または請求項２に記載の表示装置用の筐体であって、
前記シャーシは、前記光源の光を前記表示装置本体に向かって反射可能な樹脂材料により形成された
ことを特徴とした表示装置用の筐体。
【請求項４】
請求項１ないし請求項３のいずれか一項に記載の表示装置用の筐体であって、
前記光源支持具は、前記光源の光を前記表示装置本体に向かって反射可能な樹脂材料により形成された
ことを特徴とした表示装置用の筐体。
【請求項５】
請求項１ないし請求項４のいずれか一項に記載の表示装置用の筐体であって、
前記光源支持具は、前記表示装置本体の表示状態に対応して、前記光源の支持位置を調整可能に設けられた
ことを特徴とした表示装置用の筐体。
【請求項６】
請求項５に記載の表示装置用の筐体であって、
前記光源支持具は、前記支持具固定部上で前記光源を支持した
ことを特徴とした表示装置用の筐体。
【請求項７】
請求項１ないし請求項６のいずれか一項に記載の表示装置本体と、
請求項１ないし請求項６のいずれか一項に記載の表示装置用の筐体と、を備えた
ことを特徴とした表示装置。
【発明の詳細な説明】
【技術分野】
【０００１】
本発明は、表示装置用の筐体およびこの筐体を備えた表示装置に関する。
【背景技術】
【０００２】
近年、画面サイズが４０インチを超える薄型の大型液晶テレビが開発されている。
このような液晶表示装置は、大別して、液晶パネル、バックライトシャーシ、電気系回路、いわゆるバックカバーである外装ハウジング、フロント枠カバーにより構成されている。
例えば、バックライトシャーシは、比較的に製造コストを低減可能な押出成形により形成される構成が知られている（例えば、特許文献１参照）。
【０００３】
特許文献１には、反復屈曲する形状に形成された基体の表面に反射層が形成された液晶表示装置のバックライト反射板が示されている。また、バックライト反射板の基体が合成樹脂の異型押出成形品からなる点も示されている。
特許文献２には、バックライトハウジングに、蛍光管支えが一体的に形成されている点が示されている。
【０００４】
【特許文献１】特開２００２−１５６５１２号公報
【特許文献２】特開２００７−８７９１６号公報
【発明の開示】
【発明が解決しようとする課題】
【０００５】
しかしながら、特許文献１、２に記載のようなバックライト反射板やバックライトハウジングでは、十分な剛性の確保が難しい場合がある。また、特許文献２では、バックライトハウジングに、蛍光管支えが一体的に形成されているが、この構成では、光源の光の反射度合いに応じて、蛍光管支えを位置調整することができず、表示不良が起きる可能性がある。
【０００６】
本発明の目的は、表示不良を防止し、剛性に優れた表示装置用の筐体およびこの筐体を備えた表示装置を提供することを目的とする。
【課題を解決するための手段】
【０００７】
本発明の表示装置用の筐体は、一平面に画像を表示させる表示領域を有するパネル状の表示装置本体と、この表示装置本体に光を照射する光源を支持可能な光源支持具と、が取り付けられ、前記表示装置本体の前記表示領域を外面に臨ませて前記表示装置本体を収納する表示装置用の筐体であって、前記表示装置本体の表示領域と反対側の平面に略対向する対向面を有し樹脂材料の異型押出にて押出方向に沿って一連である複数の中空リブを有する略平板状に成形されたシャーシを備え、前記シャーシの対向面には、前記光源支持具を固定可能な支持具固定部が押出方向に長尺状で一体に設けられたことを特徴とする。
この発明では、筐体のシャーシは、中空リブを有しているので、剛性を確保することができる。また、シャーシの対向面には、光源支持具を固定可能な支持具固定部が一体に設けられているので、シャーシの対向面に光源支持具を固定するための固定孔を形成したり、固定部材を取り付けたりする必要が無いので、簡便な構成となり、簡単にシャーシに光源支持具を固定することができる。さらに、支持具固定部は、押出方向に長尺状に設けられているで、光源支持具の取付位置を自由に設定することができる。例えば、シャーシの押出方向の先端部や後端部に光源支持具を取り付けたり、シャーシの中間部分にも光源支持具を取り付けたりできるので、表示装置本体への光の入射具合を確認しながら、光源支持具の位置調整を容易に行うことができ、表示不良を防止することができる。
【０００８】
また、前記支持具固定部は、前記シャーシの押出方向と略直交する方向に所定の間隙を有して複数設けられたことが好ましい。
この発明では、支持具固定部は、押出方向の長尺状に設けられるとともに、押出方向と略直交する方向に複数設けられているので、シャーシの対向面上に所望の配置となるように、光源支持具を配設することができる。具体的には、シャーシの対向面上に平面視で千鳥状に光源支持具を配設してもよい。このように、光源が複数配設される場合でも表示装置本体への光の入射具合を確認しながら、光源支持具の位置調整を行うことができるので、表示不良をさらに防止することができる。
【０００９】
そして、前記シャーシは、前記光源の光を前記表示装置本体に向かって反射可能な樹脂材料により形成されたことが好ましい。
この発明では、光を反射可能な樹脂材料によりシャーシを形成することで、対向面上に、光源の光を反射するための反射層や他の部材を必要としないので、さらに簡便な構成とすることができ、簡単に筐体を製造することができる。
【００１０】
さらに、前記光源支持具は、前記光源の光を前記表示装置本体に向かって反射可能な樹脂材料により形成されたことが好ましい。
この発明では、光源支持具は光源からの光を反射できるので、光源支持具を配置することにより、表示装置本体への光の入射度合を低減させることがない。
【００１１】
そして、前記光源支持具は、前記表示装置本体の表示状態に対応して、前記光源の支持位置を調整可能に設けられたことが好ましい。
光源の光が対向面に当たって反射する際に、支持具固定部の形状や光源の配設位置などにより、対向面の反射効率が低下し、表示装置本体が十分に受光できず、輝度のムラなどの不都合が生じる場合がある。しかし、この発明では、表示装置本体の表示状態に対応して、光源の支持位置の調節が可能となり、表示装置本体の輝度ムラをさらに低減して、表示状態を向上させることができる。
【００１２】
また、前記光源支持具は、前記支持具固定部上で前記光源を支持したことが好ましい。
対向面上に支持具固定部を設けることにより、光源の光の反射不良が起こるとも考えられるが、この発明では、支持具固定部が光源の下に位置するので、支持具固定部による光の反射不良を抑えることができ、表示装置本体は光源の光を効率的に受光することができる。
【００１３】
本発明の表示装置は、上述の表示装置本体と、上述の表示装置用の筐体と、を備えたことを特徴とする。
この発明では、表示装置が上述の筐体を備えるので、製造コストを抑えて回路基板を取付可能な表示装置を製造することができる。
【発明を実施するための最良の形態】
【００１４】
以下、本発明の一実施形態における表示装置を図面に基づいて説明する。
なお、この本実施形態では、表示装置として液晶ディスプレイ（Ｌｉｑｕｉｄ  Ｃｒｙｓｔａｌ  Ｄｉｓｐｌａｙ：ＬＣＤ）を備える液晶テレビやモニタなどの液晶表示装置を例示するが、これに限られず、照明装置などでもよい。図１は、本実施形態における表示装置を示す斜視図である。図２は、表示装置の光源支持部を示す断面図である。
【００１５】
［表示装置の構成］
図１に示すように、本実施形態の表示装置１００は、いわゆる薄型の表示装置１００であり、図示しない入力端子に入力された画像データを画面表示する装置である。この表示装置１００は、筐体２００と、表示装置本体としてのＬＣＤ３００と、ＬＣＤ３００に画像を表示させる表示制御手段３１０と、などを備えている。なお、図１には、説明の都合上ＬＣＤが省略されている。
【００１６】
筐体２００は、ＬＣＤ３００と、表示制御手段３１０などを固定する。
この筐体２００は、平面視で略矩形状のシャーシ２１０と、シャーシ２１０の長手方向の両端部に嵌合固定される嵌合部材２２０と、を備える。
【００１７】
また、シャーシ２１０は、異形押出にて成形されており、略平板状のシャーシ本体２１１と、シャーシ本体２１１の長手方向の両側縁から立ち上がって形成された立上部２１２と、を有している。つまり、シャーシ２１０は、断面が凹状に形成されている。また、シャーシ２１０は、光源の光を反射可能な樹脂材料により、形成されている。このような樹脂材料として、例えば、ポリエチレンテレフタレートなどが挙げられる。
シャーシ本体２１１の長手方向の両端部は、平坦な自由端２１３に形成されている。このシャーシ２１０の自由端２１３は、シャーシ２１０を成形する際に熱線膨張による応力を吸収して熱変形を防止する。
立上部２１２は、電極などの電気ユニットを収納可能な収納凹部２１２Ａを有している。
【００１８】
図１、２に示すように、シャーシ本体２１１は、内部に複数の中空リブ２１４が押出方向である長手方向に一連に形成されている。
中空リブ２１４は、一方の立上部２１２から他方の立上部２１２に亘って所定の間隔で形成されており、内部空間の断面は略四角形状である。このため、中空リブ２１４は断面視で略はしご状に形成されている。
複数の中空リブ２１４の互いの間隔は２０．０ｍｍ以上３００ｍｍ以下であり、さらに好ましくは、互いの間隔が３０．０ｍｍ以上２００ｍｍ以下である。ここで、中空リブ２１４の互いの間隔が２０．０ｍｍ未満であると、成形が困難になる場合があるので好ましくない。一方、３００ｍｍを越えると剛性が低下するので好ましくない。
【００１９】
また、シャーシ本体２１１は、図２に示すように、ＬＣＤ３００に略対向する対向面としての反射面２１１Ａと、反射面２１１Ａと反対側である化粧面２１１Ｂとを有している。
【００２０】
シャーシ本体２１１の反射面２１１Ａは、中空リブ２１４に連結する複数の連結部２１４Ａを有する。一の連結部２１４Ａと隣接する他の連結部２１４Ａとの間には、支持具固定部としての係合凹部２１６が押出方向に一連に複数設けられている。この係合凹部２１６は、一方の立上部２１２から他方の立上部２１２に亘って複数設けられている。そして、反射面２１１Ａの係合凹部２１６には、光源支持具５００が嵌合されている。この光源支持具５００は、係合凹部２１６の所望の位置で嵌合可能である。すなわち、光源支持具５００は、図１に示すように、シャーシの反射面２１１Ａに千鳥状に係合されていてもよい。
【００２１】
光源支持具５００は、光源３１１の光を反射可能な樹脂材料にて形成されている。このような樹脂として、例えば、ポリエチレンテレフタレートなどが挙げられる。そして、光源支持具５００は、図２に示すように、平板状の支持台５０１と、この支持台５０１の反射面２１１Ａに対向して突設され係合凹部２１６に係合可能な３つの係合凸部５０２と、支持台５０１の反射面２１１Ａと反対側に載置され光源３１１を支持可能な２つの支持凹部５０３と、支持台５０１の反射面２１１Ａと反対側に立設され拡散板３１３を支持可能な支柱５０４とを備える。
【００２２】
支持台５０１は、長手方向がシャーシ本体２１１の長手方向と略直交する方向に配設されている。３つの係合凸部５０２は、反射面２１１Ａ上に設けられた複数の係合凹部２１６のうち連続する３つの係合凹部２１６に係合している。
２つの支持凹部５０３は、３つの係合凸部５０２のうち両側の係合凸部５０２上に対応する位置に載置されている。また、これら支持凹部５０３は、真ん中の係合凸部５０２から略等距離となる位置に配設されている。これら支持凹部５０３は、光源３１１の形状に対応して湾曲して形成されている。また、支持凹部５０３は、ＬＣＤ３００と反射面２１１Ａとの間に光源３１１を支持するとともに、光源３１１の軸方向が係合凹部２１６の長手方向に略沿う状態に支持する。
支柱５０４は、円錐形状に形成され、一方の支持凹部５０３と他方の支持凹部５０３との間に配設されている。また、支柱５０４の先端部は、拡散板３１３に当接する当接面５０４Ａを有している。なお、支柱５０４の先端部は、当接面５０４Ａを有しておらず、尖った形状でもよい。
【００２３】
ＬＣＤ３００は、一方の立上部２１２の上端部と他方の立上部２１２の上端部とにより架設されるとともに、２つの嵌合部材２２０にて固定される。
ＬＣＤ３００とシャーシ本体２１１の反射面２１１Ａとの間には、表示制御手段３１０が配設されている。表示制御手段３１０は、軸方向がシャーシ本体２１１の長手方向に沿って配設された光源としての冷陰極管光源３１１（Ｃｏｌｄ  Ｃａｔｈｏｄｅ  Ｆｌｕｏｒｅｓｃｅｎｔ  Ｌａｍｐ：ＣＣＦＬ）と、互いの立上部２１２に架設された拡散板３１３とを有する。光源３１１は、光源支持具５００により支持されている。拡散板３１３は、ポリスチレン（ＰＳ）系樹脂やポリカーボネート（ＰＣ）系樹脂にて形成され、支柱５０４の当接面５０４Ａに当接している。
【００２４】
化粧面２１１Ｂには、化粧層２１５がシャーシ本体２１１と一体的に積層形成されている。化粧層２１５は、シャーシ２１０の異型押出と同時に、多色成形される。つまり、化粧層２１５および反射層３１２は、シャーシ２１０の異型押出と同時に、多色成形される。
【００２５】
嵌合部材２２０は、図１に示すように、シャーシ２１０の長手方向の両端部の形状に対応した溝状の嵌合部２２１を有しており、この嵌合部２２１にシャーシ本体２１１および立上部２１２の長手方向の両端部が嵌合される。嵌合部２２１は、光源３１１の両端部を支持する光源支持部２２２を有しており、光源支持部２２２には、光源３１１の端部が挿入される光源挿入孔２２３が形成されている。
【００２６】
そして、筐体２００の外周部には、図示しない外装フレームを取り付けても良い。この際、例えば、セルフタップなどのネジを螺着させることにより、シャーシ２１０に外装フレームを固定する構成としてもよい。また、外装フレームを射出成形により形成すれば、外装フレームにデザイン性の高い意匠を施すことができ、表示装置１００の外観を向上させることができる。
【００２７】
［実施形態の効果］
前記したような表示装置１００によれば、以下に示す作用効果を奏することができる。
本実施形態の表示装置１００に、ＬＣＤ３００の表示領域と反対側の平面に略対向する反射面２１１Ａを有し樹脂材料の異型押出にて押出方向に沿って一連である複数の中空リブ２１４を有する略平板状に成形されたシャーシ本体２１１を設け、シャーシ本体２１１の反射面２１１Ａには、光源支持具５００を固定可能な係合凹部２１６を押出方向に一連で一体に設けた。
このため、シャーシ本体２１１は、中空リブ２１４を有しているので、剛性を確保することができる。また、シャーシ本体２１１の反射面２１１Ａには、光源支持具５００を固定可能な係合凹部２１６が一体に設けられているので、簡便な構成となり、簡単にシャーシ本体２１１に光源支持具５００を固定することができる。さらに、係合凹部２１６は、押出方向に一連に設けられているで、光源支持具５００の取付位置を自由に設定することができる。
【００２８】
そして、光源支持具５００に、拡散板３１３に当接する当接面５０４Ａを有する支柱５０４を立設させた。
このため、拡散板３１３が大型であっても、支柱５０４が拡散板３１３を支持するので、拡散板３１３の変形を防止することができる。また、支柱５０４は、当接面５０４Ａを有しているので拡散板３１３の損傷を防止できる。
【００２９】
また、係合凹部２１６を、シャーシ本体２１１の押出方向と略直交する方向に所定の間隙を有して複数設けた。
このため、係合凹部２１６は、押出方向の一連に設けられるとともに、押出方向と略直交する方向に複数設けられているので、シャーシの反射面２１１Ａ上に所望の配置となるように、光源支持具５００を配設することができる。また、光源から発生する光が反射面２１１Ａにて反射する際の反射度合を確認しながら、光源支持具５００の位置調整を容易に行うことができる。例えば、ＬＣＤ３００の輝度ムラを低減するように、光源支持具５００の位置調整を行うことができる。
【００３０】
そして、シャーシ２１０を、光源３１１の光をＬＣＤ３００に向かって反射可能な樹脂材料により形成した。
このため、光を反射可能な樹脂材料によりシャーシ２１０を形成することで、反射面２１１Ａ上に、光源３１１の光を反射するための反射層や他の部材を必要としないので、さらに簡便な構成とすることができ、簡単に筐体２００を製造することができる。
【００３１】
さらに、光源支持具５００は、光源３１１の光をＬＣＤ３００に向かって反射可能な樹脂材料により形成されている。
光源支持具を配置することにより、ＬＣＤ３００への光の入射度合を低下させることがない。
【００３２】
また、係合凹部２１６の長手方向が、光源３１１の軸方向と略平行となる状態に、支持凹部５０３に光源３１１を支持させた。
このため、支持凹部５０３は、係合凹部２１６の長手方向に軸方向が沿う状態に光源３１１を支持するので、反射面２１１Ａによる反射効率の低下を抑えることができ、ＬＣＤ３００は光源３１１の光を効率的に受光することができる。
【００３３】
表示装置１００に、ＬＣＤ３００と、筐体２００と、を設けた。
このため、製造コストを抑えて光源支持部材を取付可能な表示装置１００を製造することができる。
【００３４】
[実施形態の変形例]
なお、以上に説明した態様は、本発明の一態様を示したものであって、本発明は、前記した実施形態に限定されるものではなく、本発明の目的および効果を達成できる範囲内での変形や改良が、本発明の内容に含まれるものであることはいうまでもない。また、本発明を実施する際における具体的な構造および形状などは、本発明の目的および効果を達成できる範囲内において、他の構成などとしても問題はない。
図３は、他の表示装置の光源支持部を示す拡大断面図である。図４は、さらに他の実施形態における光源支持具を示す拡大断面図である。
【００３５】
本実施形態では、図２に示すように、シャーシ本体２１１の反射面２１１Ａに係合凹部２１６を形成する構成を示したが、これに限らない。例えば、図３に示すように、シャーシ本体２１１の反射面２１１Ａに、１つの凸状の係合部２１７を設けても良い。また、光源支持具５００に凸状の係合部５０５を設け、この係合部５０５を挟持する一対の凸状の係合部２１７を、反射面２１１Ａに設けても良い。
【００３６】
また、本実施形態では、図２に示すように、光源支持具５００には、支柱５０４が設けられる構成を示したが、これに限られない。例えば、図４に示すように、光源支持具５００には、支柱５０４が設けられていなくても良い。この場合、支柱５０４を設ける場合と比較して、光源３１１の光をより多く拡散板３１３に入射させることができる。
【００３７】
さらに、本実施形態では、光源３１１を支持する支持凹部５０３は、真ん中の係合凸部５０２から略等距離となる位置に設ける構成を示したがこれに限られない。例えば、真ん中の係合凸部５０２からそれぞれ異なる位置に支持凹部５０３を設ける構成でもよい。また、支持凹部５０３は、ＬＣＤ３００の表示状態に応じて、例えば、輝度ムラの発生を低減する位置で、光源３１１を支持するように配設してもよい。これにより、ＬＣＤ３００の表示状態を向上させることができる。
【００３８】
さらに、本実施形態では、表示装置１００は筐体２００を有する構成を示したが、例えば、筐体２００の外周部を囲む枠状の外周フレームが取り付けられていても良い。外周フレームを取り付けることにより、表示装置１００の剛性を向上させることができる。また、外周フレームにデザインを施すことにより、意匠性を向上させることができる。
【産業上の利用可能性】
【００３９】
本発明は、液晶テレビやモニタなどの表示装置に利用できる。
【図面の簡単な説明】
【００４０】
【図１】本実施形態における表示装置を示す斜視図。
【図２】表示装置のシャーシを示す断面図。
【図３】他の表示装置の光源支持部を示す拡大断面図。
【図４】さらに他の実施形態における光源支持具を示す拡大断面図。
【符号の説明】
【００４１】
１００……表示装置
２００……筐体
２１０……シャーシ
２１１Ａ…対向面としての反射面
２１１Ｂ…反対面としての化粧面
２１４……中空リブ
２１６……支持具固定部としての係合凹部
３００……表示装置本体としての液晶ディスプレイ（ＬＣＤ）
５００……光源支持具
【図１】
0005059684.tif 000002
【図２】
0005059684.tif 000003
【図３】
0005059684.tif 000004
【図４】
0005059684.tif 000005